(57)【特許請求の範囲】
【請求項１】
機械式錠を操作するための鍵であって、前記機械式錠内に挿入するための金属製の鍵本体を備え、
前記鍵本体は、
頭部と、
前記頭部に接続された細長本体であって、前記機械式錠に物理的に係合し操作するように構成された細長本体と、を含み、
前記鍵本体に物理的且つ永続的に連設されたラベル部であって、書き込み可能な面を含み、前記書き込み可能な面は、前記鍵本体に流動性ポリマーから成る液体組成物を適用することと前記液体組成物が前記書き込み可能な面を画定する固体層を形成するのを可能にすることとを備えるプロセスによって作成され、前記書き込み可能な面は、書き込み器具によって前記書き込み可能な面に適用された物質をシミが付くこと、汚れること、又はそれらの組み合わせから保護するとともに、前記ラベル部が連設される前記鍵本体の面よりもインクがよく浸透するように適合されるラベル部を有し、
当該ラベル部は、インクを保持するために多孔性である、
ことを特徴とする鍵。
【請求項２】
前記ラベル部は、主に第１の材料から成り、前記鍵本体は、主に前記第１の材料とは異なる第２の材料から成る、請求項１に記載の鍵。
【請求項３】
前記細長本体は、前記機械式錠を操作するための少なくとも１つの鍵山を含む、請求項１に記載の鍵。
【請求項４】
前記細長本体は、キーブランクである、請求項１に記載の鍵。
【請求項５】
前記ラベル部は、前記鍵本体の前記頭部に付着した略平面シートである、請求項１に記載の鍵。
【発明の詳細な説明】
【技術分野】
【０００１】
本開示及び幾つかの実施形態は、一般的に、ラベルシステムに関し、より具体的には、少なくとも１つの書き込み可能な面を備えるラベル部を形成するラベルシステムに関する。
【背景技術】
【０００２】
多くの種類の物体が適切な書き込み面を有していない。例えば、錠（例えば、車の扉錠、家の錠、南京錠など）を開錠するための金属の鍵は、適切な書き込み面を有していない。これらの鍵は、錠内の可動ピンに係合するように構成された平らな一枚の金属から形成されることが多い。錠を開錠するため、鍵を、錠内に挿入し、錠の内部ピンを整列させるように回転させることができる。内部ピンが正しく整列すると、開錠できる。
【発明の概要】
【発明が解決しようとする課題】
【０００３】
残念ながら、鍵の外側金属面は、書き込み道具からインク又は黒鉛を受け取るのに適した書き込み面を提供しない。人は、錠を開けるのに適した鍵を選択するためにある鍵の大きさ又は形状及び対応する錠を記憶することがしばしばある。しかし、特定の錠にどの鍵が対応するのかを思い出すことは、しばしば困難である。例えば１つのキーホルダーやキーリングに数多くの鍵を一緒にしている場合は特に困難である。
【課題を解決するための手段】
【０００４】
本明細書において開示される幾つかの実施形態は、ラベル部が多くの種類の物体に適用できるという理解を含む。前記ラベル部は、１つ以上のラベルを含み得、それぞれが１つ以上の印を受け取るように適合された受け取り面を有するラベルを含み得る。本明細書において、「印（ｉｎｄｉｃｉａ）」という用語は、広義において１つ以上のシンボル、文字、キャラクタ、数字、グラフィック、アートワーク、ロゴ、登録商標、装飾的要素、手書きの書、印字、それらの組み合わせ、及び情報を伝えるのに用いられ得るその他のマークを含むがそれらに限定されないと解釈される。
【０００５】
前記受け取り面は、インク、黒鉛などの適用（塗布）される物質を永続的に保持するための書き込み可能な面であり得る。前記書き込み可能な面は、その上に書き込まれた物質が乾燥、固化後にシミが付いたり汚れたりすることから保護できる。シミが付いたり汚れたりすることは前記適用される物質の見た目に著しい変化を生じ得る。例えば、前記適用される物質を用いて前記書き込み可能な面に文字が書き込まれる場合、シミが付いたり汚れたりすることで文字が認識不能になることがある。水性インクは、１種の物質であり、水性インクが金属面に直接適用される場合、シミが付きやすく及び／又は汚れやすくなる。
有利には、前記書き込み可能な面に書き込まれるもの（例えば、インク及び／又は黒鉛で書き込まれるもの）は、例えばある人が書き込まれるものの上に指を滑らせてもその形状を維持し得る。
【０００６】
幾つかのインク書き込み可能な実施形態において、前記書き込み可能な面は、前記ラベル部が適用される面よりもインクがよく浸透する。前記書き込み可能な面の内部へ及び面を永続的に浸透するインク量は、前記ラベル部が適用される面を浸透するインク量よりも多い。
【０００７】
幾つかの実施形態において前記ラベル部は、少なくとも１つのラベルを含み得、そのラベルはある物体の金属面などの書き込み不可能な面に一時的又は永続的に連設される。前記ラベルは、単層（例えば、単一の基材）又は多層のラベルであり得る。多層の実施形態において、前記ラベルは、塗料、ポリマー、コーティング材の１つ以上の層、それらの組み合わせ、及び書き込みラベルを形成するのに適したその他の材料を含み得る。
【０００８】
前記ラベルは、少なくとも１つの面（例えば、印を受け取るのに適した又は不適な面）を有するさまざまな種類の物体（例えば、鍵、工具、及びその他の既知の物体）に連設され得る。剥き出しの金属面など、多くの種類の面はその上に書き込むには多少不向きであるといえる。前記ラベルは、書き込みやすさ、書き込まれるものの読みやすさなどを向上できる。前記ラベルは、金属、セラミック、合成物、又はプラスチックだけでなく前記ラベルを受け取るのに適したその他の材料にも適用できる。
【０００９】
幾つかの実施形態において、機械式錠を操作するための鍵は、鍵本体と、前記鍵本体に連設されたラベル部とを備える。前記鍵本体は、頭部と、前記頭部に接続された細長本体とを備える。前記細長本体は、前記機械式錠に物理的に係合し操作するように構成される。前記ラベル部は、書き込み可能な面を画定する。前記頭部は、幾つかの実施形態において、前記鍵を前記錠に挿入するためにユーザによって便宜上把持され得る。
【００１０】
幾つかの実施形態において前記ラベル部は、液体組成物を前記鍵本体に適用することと、前記液体組成物が前記書き込み可能な面を画定する固体層を形成可能にすることとを備えるプロセスによって作成された書き込み可能な面を含む。幾つかの実施形態において、前記書き込み可能な面は、書き込み器具によって前記書き込み可能な面に適用される基材（例えば、インク又は固形顔料、若しくはその両方）をシミが付くこと及び汚れることの少なくとも一方から保護するように適合される。
【００１１】
幾つかの実施形態において、鍵は、鍵本体と、書き込み道具によって書き込まれる印を受け取り永続的に保持するための手段とを備える。前記印を受け取り永続的に保持するための手段は、前記鍵本体に連設される。前記鍵本体は、頭部と、前記頭部に連設された細長本体とを備える。前記細長本体は、錠に物理的に係合し操作するように構成される。前記印を受け取る手段は、書き込み器具を用いてその上に適用される物質を保護し得る。
【００１２】
幾つかの実施形態において、鍵は、鍵本体に連設されたラベル部を備える。前記ラベル部は、主に第１の材料から成り、前記鍵本体は、主に前記第１の材料と異なる第２の材料から成る。例えば、前記ラベル部は、少なくとも９０重量％のポリマーから成り得、前記鍵本体は、少なくとも９０重量％の金属から成り得る。必要又は所望の場合、前記ラベル部と前記鍵本体を連設するのに接着剤又は接合剤が用いられ得る。
【００１３】
幾つかの実施形態において、鍵を製造する方法が提供される。前記方法は、ラベル部とキーブランク（ブランクキー）を連設することを含み得る。前記ラベル部は、第１の面と、前記第１の面に対向する第２の面とを有し得る。幾つかの実施形態において、前記第１の面は、書き込み可能な面を含み、前記第２の面は、前記キーブランクに物理的に連設され得る。
【００１４】
幾つかの実施形態において、鍵を製造する方法は、液体をキーブランクに適用することと、前記適用した液体がラベル部を形成するために固体になることを可能にすることとを備える。前記液体は、乾燥、架橋結合、冷却、固化などによって固体になり得る。前記ラベル部は、第１の面と、前記第１の面に対向する第２の面とを有する。前記第１の面は、幾つかの実施形態において、書き込み器具から物質を受け取るように適合された耐シミ性、耐汚れ性の書き込み可能な面を含む。前記第２の面は、前記キーブランクに物理的に連設される。幾つかの実施形態において、前記耐シミ、耐汚れ特性は従来の書き込み用紙又はノートの紙の耐シミ、耐汚れ特性に幾分似ているか又は等しい。
【００１５】
幾つかの実施形態において、本明細書で開示する前記ラベル部の前記書き込み可能な面は、耐シミ及び／又は耐汚れ仕上げを含む。前記仕上げは、前記書き込み可能な面に適応される物質が傷つくのを低減、抑制、又は略防止し得る。前記書き込み可能な面の特性によって、例えばボールペンが前記書き込み可能な面にインクを便宜的に適用するのを可能にする、又は鉛筆が前記書き込み可能な面に固形顔料（例えば、黒鉛、木炭など）を適用するのを可能にし得る。前記書き込み可能な面の摩擦係数は、前記書き込み器具が確実に物質を適用可能にするほど充分に高くなり得る。幾つかの実施形態において、前記摩擦係数は、従来の書き込み用紙又はノートの紙の摩擦係数に近い又は等しい。前記書き込み器具と前記書き込み可能な面との間の摩擦の相互作用は、所望により大きくも小さくもできる。よって、ユーザは、広範囲の書き込み道具を用いて前記書き込み可能な面に永続的な書き込みを便宜上適用することができる。
【００１６】
前記ラベル部のラベルは、１つ以上の接着剤によってキーブランクに物理的に連設され得る。更に又は或いは、前記ラベルは、前記キーブランクに直接連設され得る。例えば、塗料などの物質は、前記個別のラベルを形成する前記キーブランクに適用され得る。前記キーブランクに接触する前記塗料は、前記ラベルと前記キーブランクを物理的に連設するように乾燥し得る。
【００１７】
幾つかの実施形態において、ラベル部とキーブランクを連設後、前記キーブランクの細長本体に１つ以上の鍵山が形成され得る。有利には、所望の機械加工プロセスに応じて異なるキーブランク及びラベル部が選択され得る。鍵山は、前記ラベル部を損傷又は変化させることなく前記細長本体に形成され得る。例えば、前記ラベル部は、前記細長本体が延伸する前記キーブランクの平らな頭部に適用され得る。
【００１８】
ユーザは、前記鍵山を形成後、前記ラベル部の前記書き込み可能な面に１つ以上の印を書き込むことができる。或いは、１つ以上の印が前記書き込み可能な面に適用された後、前記１つ以上の鍵山を形成できる。よって、書き込まれるもの又はラベル部を備える前記キーブランクは、印を適用する際に可撓性を提供する。
【００１９】
幾つかの実施形態において、鍵は、ラベル部と、前記ラベル部に比べて比較的厚い鍵本体とを備える。前記ラベル部は、第１の面と、前記第１の面に対向する第２の面とを含み得る。厚さは、前記第１及び第２の面によって画定され得る。この厚さは、前記鍵本体の平らな頭部の厚さ未満であり得る。
【００２０】
ラベルは、１つ以上の組成物から成り得る。組成物は、その全体又は一部が、紙、繊維、プラスチック、樹脂、ポリマー、ゴム、添加物（例えば、ナノ粒子、光学活性添加物、及び前記ラベルの前記特性を変化させるその他の添加物）、塗料、接着剤、接合剤、充填材、又はそれらの組み合わせから成り得る。前記単層又は多層ラベルは、適切な書き込み面を提供し得る１つ以上の材料から成り得る。例えば、前記ラベルは、繊維（木材パルプ）と、前記ラベルの特性（耐水性、書き込みやすさなど）を向上させる１つ以上の添加物（例えば、ナノ粒子）とから成り得る。前記ラベルは、天然材料又は合成材料、若しくはその両方から成り得る。
【図面の簡単な説明】
【００２１】
【図１】例示の一実施形態による印受け取り面を有するラベルを備える鍵の平面図である。
【図２Ａ】図１の２Ａ−２Ａ線における鍵の断面図である。
【図２Ｂ】図１の２Ｂ−２Ｂ線における鍵の断面図である。
【図３】例示の一実施形態によるラベル部を備える鍵の平面図である。
【図４】例示の一実施形態による鍵の細長本体に沿って配置されたラベル部を有する鍵の平面図である。
【図５】例示の一実施形態による外側印受け取り面を有する鍵の平面図である。
【図６】例示の一実施形態による鍵の頭部にラベル部を有する鍵の平面図である。
【図７】図６の７−７線における鍵の断面図である。
【図８】例示の一実施形態によるラベル部を備える装置の平面図である。
【図９】図８の装置の側面図である。
【図１０】基材に適用されたラベル部の平面図である。
【図１１】図１０の１１−１１線におけるラベル部及び基材の断面図である。
【図１２】基材に適用されたラベル部の平面図である。
【図１３】図１２の１３−１３線におけるラベル部及び基材の断面図である。
【図１４Ａ】幾つかの実施形態によるキーブランクの平面図である。
【図１４Ｂ】図１４Ａのキーブランク及びそのキーブランクに適応されたラベル部の平面図である。
【図１４Ｃ】機械加工プロセス後の図１４Ｂの鍵の平面図である。
【図１４Ｄ】ラベル部に文字が適用された後の図１４Ｃの鍵の平面図である。
【図１５】幾つかの実施形態によるラベル部を備える鍵の図である。
【図１６】幾つかの実施形態によるラベル部を備える鍵の図である。
【発明を実施するための形態】
【００２２】
本発明の詳細な記載は、一般的に、さまざまな種類の１つ以上の印を受け取るのに適した少なくとも１つの印受け取り面を有するラベル部を対象としている。前記ラベル部は、物体の外側面に適用されその物体を分類且つ識別する能力を向上させ得る。以下の説明及び図１〜１６において多くの具体的な詳細及びある実施形態を記載しており、かかる実施形態の理解を深めることができる。しかしながら、当業者であれば、以下の説明において１つ以上の詳細な説明がなくとも本明細書で開示する実施形態が実行され得ることを理解するものである。更に、ラベル部が鍵との関連において論じられるのは、その文脈において特別な実用を有するためである。例えば、本明細書で開示するラベル部のラベルは、機械式錠を開ける鍵と使用するのに特に適している。しかしながら、前記ラベルは、例えば、他の種類の金属物体、ファスナ、工具、設備、及び書き込み不可能な面、半書き込み可能な面又は書き込み可能な面などの外側面を有するその他の品目など、他のものとの関連において使用され得る。
【００２３】
尚、本明細書及び添付した特許請求の範囲において用いられるように、単数形を示す「ａ」、「ａｎ」及び「ｔｈｅ」は、別段の指示がない限り、指示対象が複数ある場合も含む点を留意すべきである。例えば、「ラベル」という用語は、単数のラベル及び／又は複数のラベルを含む。また、「又は」という用語は、一般的に、別段の指示がない限り「及び／又は」を含む意味において使用される点を留意すべきである。
【００２４】
図１は、鍵本体１０２に連設されるラベル部１０１を有する鍵１００を示している。ラベル部１０１は、印書き込み面１１０を備えるラベル１０６を含んでいる。鍵１００を識別するための印１２０（読める文字として図示）は、印書き込み面１１０にある。図示した鍵本体１０２は、頭部１３０と、頭部１３０の開口部１３６と、頭部１３０から延伸した細長本体１４０とを含んでいる。
【００２５】
鍵１００は、さまざまな種類の錠（例えば、車の扉錠、家の扉錠、南京錠などの扉錠）、点火システム錠、及び当該技術分野において既知であるその他の錠を開錠するのに用いられ得る。印１２０は、鍵１００を用いてどの錠を開錠できるかを識別できる。例えば、ユーザは、鍵１００をそれと対応する錠と結びつけるために印書き込み面１１０に書き込むことができる。鍵１００を他の鍵と保持する場合、ユーザは、印１２０を用いて鍵１００をその他の鍵から区別することができる。
【００２６】
開錠の際、ユーザは、頭部１３０を便宜上把持し細長本体１４０を前記錠の開口部内へと挿入できる。鍵１００が前記錠内に正しく挿入されると、ユーザは、鍵１００を回転させて前記錠が開くまで前記錠の内部構成要素を動かすことができる。
【００２７】
本明細書において、「鍵」という用語は、錠を操作して開くのに用いられる機械構造又は装置を含むが、それらに限定されない、広義の用語である。機械式鍵は、例えば、機械式錠のピンに物理的に接触し、それらを動かし、更に整列させ得る。例示的な鍵は、家の鍵、自動車の鍵、スケルトン鍵、バレル鍵（例えば、自転車の錠を開けるのに用いられる鍵）などの形状であり得る。前記鍵に、センサ、チップ（例えば、ＲＦＩＤチップ）、応答機、電源（例えば、電池）、それらの組み合わせ、及びその他の種類の構成要素又はシステムを組み込むことができる。よって、ラベル部１０１は、さまざまな種類の鍵と共に用いられ得る。
【００２８】
図１の図示した鍵１００は、機械式錠を開錠するのに適した一側面が鍵の形状になっている。細長本体１４０は、前記錠の１つ以上の内部可動構成要素に係合するように構成された輪郭領域１５０を含んでいる。例えば、輪郭領域１５０は、前記錠のピンに接触し、それらを動かし、更に整列させ得る。輪郭領域１５０は、１つ以上の鍵山（ｂｉｔｔｉｎｇｓ）と、溝と、歯と、切欠と、刻み目（ｉｎｄｅｎｔａｔｉｏｎｓ）と、隆起部と、錠のピンに係合するのに適したその他の特徴とを備え得る。図１の図示した輪郭領域１５０は、一連の鍵山を含んでいる。幾つかの実施形態において、鍵１００は、細長本体１４０の対向する長手方向側面がそれぞれ輪郭領域を含む二側面鍵であり得る。
【００２９】
図２Ａを参照すると、頭部１３０は、頭部本体１７０と、頭部本体１７０に連設されたラベル部１０１とを含んでいる。図示したラベル部１０１は、印受け取り面１１０（例えば、書き込み可能な面）を画定する単一の基材１８０と、受け取り面１１０に対向する連設面１９０とを含んでいる。連設面１９０は、塗料、印刷物質又はその他の種類のコーティングによって、若しくは接合剤、接着剤（例えば、感圧接着剤）又は基材を書き込み不可能な面に連設するのに適したその他の種類の連設物質によって、頭部本体１７０の連設面１９２に永続的に接合又は連設されている。幾つかの実施形態において、ラベル部１０１の材料は、面１９２に接合（例えば、物理的な接合、融着など）してもよい。例えば、ラベル部１０１は、面１９２が書き込み不可能な面である場合も、いかなる付加的接着剤又は接合剤なしに面１９２に接合してもよい。書き込み不可能な面は、剥き出しの金属面、セラミック面などであり得る。
有利には、基材１８０は、書き込み不可能な面又は半書き込み可能な面に比べて優れた書き込み可能な面を提供し得る。基材１８０は、書き込み可能な面に適用されて前記書き込み可能な面に直接適応される同じ印に比べて基材１８０に適用される印の可視性を向上させ得る。
【００３０】
受け取り基材１８０は、層、フィルム、コーティング、シートなどであり得る。基材１８０の厚さｔは、頭部１３０の厚さｔh未満であり得る。よって、基材１８０は、頭部１３０を把持する感触を著しく変化させなくてもよい。他の実施形態では、基材１８０の厚さｔは、頭部１３０の厚さｔh以上であり得る。
【００３１】
受け取り基材１８０は、図１の輪郭領域１５０の形成前、形成時、又は形成後に鍵本体１０２に連設され得る。例えば、受け取り基材１８０は、キーブランクに適用され得て、続いて図１４Ａ〜１４Ｄとの関連において論じられるように輪郭領域１５０を形成するように機械加工される。或いは、基材１８０は、輪郭領域１５０が形成される間に形成又は適用され得て、そのため鍵１００を速く生産するための一工程による製造プロセスを提供する。
【００３２】
受け取り基材１８０を形成するのにさまざまな製造プロセスが用いられ得る。塗装（例えば、ブラシ塗装、滴下・射出塗装（ｄｒｉｐ  ｏｎ  ｐａｉｎｔｉｎｇ）など）、蒸着プロセス（例えば、化学蒸着、物理蒸着など）、吹き付け、浸漬、印刷（例えば、パッド印刷）、及びその他の種類のコーティングプロセスを用いて受け取り基材１８０が形成され得る。例えば、受け取り基材１８０は、頭部本体１７０に液体を適用することによって形成され得る。幾つかの実施形態において、前記液体（例えば、塗料、非硬化ポリマー、融解温度以上の熱可塑性物質などの流動性物質）は、頭部本体１７０に塗装される。前記液体は、固化、硬化、又は乾燥して固体基材１８０を形成し得る。幾つかの実施形態において、予備成形された受け取り基材１８０（例えば、予め切断された接着フィルム）が頭部本体１７０に適用される。基材１８０は、塗料と、ポリマーと、接着剤と、結合剤と、充填材と、繊維（例えば、食物繊維、木質繊維など）と、染料と、着色剤と、添加物と、それらの組み合わせ、及び書き込み面を形成するのに適したその他の物質を備えている。更に、受け取り基材１８０は、第１の材料を備え得て、鍵本体１０２は、前記第１の材料と異なる第２の材料を備え得る。前記第１の材料は、より良い書き込み特性、例えばインクを受け取る能力を有し得る。
【００３３】
図２Ａの面１１０は、一時的又は永続的にインク、黒鉛、又はその他のマーキング物質を受け取るように構成し得る。基材１８０は、例えばインクを保持するために多孔性であり得る。テクスチャリング（例えば、つや消し仕上げテクスチャリングプロセス）、表面処理、及びその他の表面作成手順によって所望の表面１１０が形成され得る。幾つかの実施形態において、表面１１０は、ボールペン、ゲルローラー、マーカー（例えば、ＳＨＡＲＰＩＥ（登録商標）の油性マーカーなどの油性マーカー）、及び／又はその他の種類の書き込み道具からインクを受け取り得る。幾つかの実施形態において、表面１１０に書き込むのに鉛筆が用いられ得る。表面１１０にマークを付けるのに他の種類の書き込み道具も用いられ得る。
【００３４】
表面１１０の色は、識別子としての役割を担うか、又は印１２０との差異をもたらし得る。例えば、白色の面１１０は、特に、色の付いた識別子（即ち、非白色の識別子）又は印を受け取るのによく適している。色の付いた面１１０は、特に、異なった色の識別子又は印を受け取るのによく適している。幾つかの実施形態において、面１１０の領域が異なる毎に異なった色を有し得る。
【００３５】
図２Ｂを参照すると、頭部本体１７０は、受け取り基材１８０の少なくとも一部を収容するための収容領域２００を含んでいる。図示した収容領域２００は、受け取り基材１８０を収容するように構成された窪み領域である。頭部本体１７０は、基材１８０を保護し得て、それによって基材１８０の寿命を延ばし得る。更に、収容領域２００は、頭部本体１７０に対する基材１８０の移動を制限、抑制、又は略防止し得る。
【００３６】
収容領域２００は、機械加工プロセス、研磨プロセス、成形プロセス（例えば、射出成形、圧縮成形など）、切断プロセス、押印プロセス、それらの組み合わせなどによって形成され得る。収容領域２００は、細長本体１４０か、頭部本体１７０、又はその両方の形成前、形成時、又は形成後に形成され得る。
【００３７】
幾つかの実施形態において、印受け取り面１１０は、頭部本体１７０の外縁２１０より低く位置させ得る。他の実施形態において、受け取り基材１８０は、外縁２１０より外側に向けて突出し得る。かかる実施形態において、受け取り基材１８０は、好都合な把持面を提供し得る。
【００３８】
図３〜７は、以下に詳述することを除いて、図１〜２Ｂの鍵１００に概ね類似していてもよい。図３〜７を通して別段の規定がない限り、同じ参照符号は、同じ構成要素又は特徴を示している。
【００３９】
図３は、複数の受け取りラベル３０２、３０４を備えるラベル部３０１を有する鍵３００を示している。図示した間隔を置いて並べられたラベル３０２、３０４は、頭部１３０に連設されている。他の実施形態において、ラベル３０２、３０４は、他の位置にあり得る。有利には、ラベル３０２、３０４には異なった種類の印が配置され得て、更に任意の数のラベルが鍵３００に適用され得る。
【００４０】
図４は、輪郭領域１５０と頭部１３０との間の位置で細長本体１４０に取り付けられているラベル部３３０を示している。細長本体１４０は、錠内に挿入されると、受け取り基材３３０の少なくとも一部が前記錠内に配置される。或いは、細長本体１４０は、前記錠を操作する際に受け取り基材３３０の略一部又は全体が錠の外側に位置するように、充分な長手方向長さを有し得る。
【００４１】
図５は、鍵２４０の外側面３４６を形成するラベル部３４２を備える鍵３４０を示している。細長本体１４０及び頭部１３０は共にラベル部３４２を形成するコーティング材（例えば、液体コーティング材）に浸漬され得る。有利には、印が鍵３４０に沿った任意の位置に配置され得る。
【００４２】
図６及び７について、図示した鍵３６０は、収容領域３６４内にラベル部３６２を含んでいる。収容領域３６４は、頭部１３０に対するラベル部３６２の移動を保護し、更に制限、抑制、又は略防止するようにラベル部３６２を囲んでいる。図示した収容領域３６４は、ラベル部３６２をしっかり囲んでいる環状の隆起部である。他の種類の収容領域は、１つ以上の縁、突出部、隆起部（図７）、凹部（図２Ｂ）などによって形成され得る。
【００４３】
本明細書に記載したラベル部及びそれらの構成要素は、通常、多角形（例えば、長方形、正方形、台形など）、円形（図７参照）、楕円形、自由形状、それらの組み合わせなどである形状を有し得る。ラベルの数、大きさ、及び形状は、あるならその基礎となる支持構造及び／又は収容領域の構成に基づいて選択され得る。幾つかの実施形態において、前記ラベルは、概ね平面に適用される。前記ラベル部は、鍵の一側面又は二側面に配置され得る。例えば、第１のラベルが前記鍵の第１の面に配置されて、第２のラベルが第１の面に対向する前記鍵の第２の面に配置され得る。
【００４４】
図８及び９は、装置４０２のラベル部４００を示している。装置４０２は、工具（例えば、ハンマー、レンチ、ねじ回し、手工具など）、機械装置（例えば、ソケットレンチ、手動ドリル、手動研磨機など）、電子機器（例えば、オシロスコープ）、医療設備などであり得る。図示した装置４０２は、ラベル部４００を収容する窪み領域又はパネル４１０を有している。ラベル部４００の上側面４１４は、装置４０２の周囲の外側面４１６から陥凹しており、それによってラベル部４００を他の物体との不要な接触から保護することができている。
【００４５】
図１０及び１１は、面５１０に適用されているラベル部５００を示している。ラベル部５００は、ビジュアルマーカー５３０（例えば、ロゴ又はその他の種類の印）を覆う保護層５２０を含んでいる。ビジュアルマーカー５３０に隣接する保護層５２０の一部５４０は、ビジュアルマーカー５３０を不明瞭にすることなくその上に書き込まれ得る。幾つかの実施形態において保護層５２０は、ビジュアルマーカー５３０の容易な目視を確実なものにするため光学的に透明又は半透明であり得る。
【００４６】
図１２及び１３は、保護層６１０と、ビジュアルマーカー６１５と、面６３０と層６１０との間に配置された目視エンハンサ（ｖｉｅｗｉｎｇ  ｅｎｈａｎｃｅｒ）６２０とを含むラベル部６００を示している。目視エンハンサ６２０は、保護層６１０に適用された印の可視性を向上させるように設計された色の付いた面又は層であり得る。例えば、目視エンハンサ６２０は、面６３０に適用された白色インク又は塗料の層であり得る。層６１０の上側の書き込み可能な面６５０に適用された非白色印（例えば、油性マーカーによって堆積された黒色の文字）を容易に目視することができる。
【００４７】
図１４Ａは、適切な書き込み面を提供しない材料から成り得るキーブランク７００を示している。図示したキーブランク７００は、頭部７１０と細長本体７１２とを含んでいる。細長本体７１２は、錠のタンブラーに係合し操作するための所望の輪郭領域を形成するように加工され得る。
【００４８】
図１４Ｂを参照すると、ラベル部７２０は、頭部７１０に適用されている。ラベル部７２０は、頭部７１０の一方の面７２２の少なくとも３０％、５０％、７０％、又は９０％を覆い得る。図示した頭部７１０は、ラベル部７２０の周辺部を超えて外側に向けて延伸しており、比較的大きな書き込み面積を提供している。ラベル部７２０は、前記キーブランクの原製造者、鍵屋（ｌｏｃｋ  ｓｍｉｔｈ）、最終購買者などによって適用され得る。よって、ラベル部７２０は、キーブランク又は切削された鍵に適用され得る。
【００４９】
ユーザがボールペンなどの書き込み道具を用いてラベル部７２０に書き込んでも、ラベル部７２０と頭部７１０との間の接合強度は、ラベル部７２０と頭部７１０との間の相対的なずれを最小化、制限、又は略防止するのに充分高い。よってラベル部７２０は、広範囲の外力が加わっても頭部７１０にしっかり付着した状態を保ち得る。
【００５０】
ラベル部７２０を適用後、細長本体７１２は、その長手方向の長さに沿って幾らか均一なプロファイルを有するので、所望の輪郭領域を形成するように加工され得る。図１４Ｃに示すように、細長本体７１２は、鍵山７５０を形成するように機械加工されている。本明細書において、「鍵山（ｂｉｔｔｉｎｇ）」という用語は、広義において機械式錠の１つ以上の可動構成要素を操作するための１つ以上の刻み目を制限なく含むものと解釈される。
【００５１】
印は、図１４Ａ〜１４Ｄの製造プロセスの前、間、及び／又は後の任意の時点でラベル部７２０に配置され得る。図１４Ｄに示すように、「Ｈ１」と図示した文字は、ラベル部７２０の上側の書き込み可能な面７４４に配置され得る。前記印は、鍵７００を特定の鍵（１つ以上）に関連させ得る。
【００５２】
また、ラベル部７２０は、前記鍵本体を製造している間又は後の他の時点で形成され得る。幾つかの実施形態において、ラベル部７２０は、鍵山７５０が形成された後に前記鍵に適用される。図１４Ａ〜１４Ｄに示す方法は、広範囲のキーブランク、鍵、及び他の変更可能な装置と共に実行され得ると考えられる。図１５〜１６は、ラベル部を備えるさまざまな鍵を示している。図１５は、平らな層として図示したラベル部８１２を収容するための個別領域８１０（例えば、窪み領域）を備える鍵８０２を示している。図１６は、書き込みを有する複数の鍵９０１、９０２、９０３、９０４、９０５を示している。図１６の前記複数の鍵は、図１５の鍵８０２に類似又は一致し得る。
【００５３】
上述したように、本明細書で開示したラベルは、その全体又は一部が、紙、繊維、プラスチック、ポリマー、ゴム、添加物（例えば、ナノ粒子、光学活性添加物、及び前記ラベルの特性を変化させるその他の添加物）、塗料、接着剤、結合剤、充填材、又はそれらの組み合わせから成り得る。前記単層又は多層ラベルは、適切な書き込み面を提供し得る１つ以上の材料から成り得る。例えば、前記ラベルは、繊維（木材パルプ）及び前記ラベルの耐水性、書き込みやすさなどの特性を向上させる１つ以上の添加物（例えば、ナノ粒子）から成り得る。例えば、コーティング、材料、添加物、及び米国特許第７，１９２，９９２号、第７，１５３，８９２号、第７，１５１，１２３号、及び米国特許公開公報第２００７００７１９６５号、第２００６０２５８７６５号、第２００６００４１０４７号、第２００５０２３４１５２号、第２００５０２０３２０５号、第２００５０２０３２０２号、第２００５０１９６６０５号、第２００５０１７１２２７号、第２００５０１７０２８０号、第２００５０１７０１０１号、第２００５０１７０１００号に開示されたその他の教示が用いられ得る。これにより、上述の米国特許第７，１９２，９９２号、第７，１５３，８９２号、第７，１５１，１２３号、及び米国特許公開公報第２００７００７１９６５号、第２００６０２５８７６５号、第２００６００４１０４７号、第２００５０２３４１５２号、第２００５０２０３２０５号、第２００５０２０３２０２号、第２００５０１９６６０５号、第２００５０１７１２２７号、第２００５０１７０２８０号、第２００５０１７０１０１号、第２００５０１７０１０号は、参考として本明細書で援用され本明細書の一部を成す。
【００５４】
上記したさまざまな方法及び技法は、本発明を実行するたくさんの方法を提供する。当然ながら、本明細書に記載したいかなる特定の実施形態によっても必ずしもすべての目的又は利点が達成され得るとは限らないことが理解される。そのため、例えば、当業者であれば、本明細書で教示又は示唆され得る他の目的又は利点を必ずしも達成することなく、本明細書で教示したような一利点又は利点群を達成又は最適化する方法において前記方法が実行され得ることを認識するであろう。
【００５５】
更に、当業者であれば、本明細書で開示した異なる実施形態から交換可能にさまざまな特徴を認識するであろう。同様に、当業者によって、上記したさまざまな特徴及び作用、並びに他の既知となっているかかる特徴又は作用それぞれの均等物が本明細書に記載された原理に従って方法を実行するように混合及び整合され得る。更に、本明細書に記載した方法及び図示した方法は、記載した正確な作用の順序に限定されないだけでなく、記載した作用すべての実施にも必ずしも限定されない。例えば、図１４Ａ〜１４Ｄとの関連で記載した作用は、その他の順序でも実行され得る。事象又は作用のその他の順序、前記事象のうちのすべてでない事象、又は前記事象の同時発生が、本発明にかかる実施形態を実行する際に利用されてもよい。
【００５６】
本発明を、ある実施形態及び実施例との関連において開示してきたが、当業者であれば、本発明が具体的に開示した実施形態を越えて他の代替実施形態並びに／又はそれらの使用及び明らかな修正及び均等物にまで及ぶことを理解するであろう。
【図１】
0005486487.tif 000002
【図２Ａ】
0005486487.tif 000003
【図２Ｂ】
0005486487.tif 000004
【図３】
0005486487.tif 000005
【図４】
0005486487.tif 000006
【図５】
0005486487.tif 000007
【図６】
0005486487.tif 000008
【図７】
0005486487.tif 000009
【図８】
0005486487.tif 000010
【図９】
0005486487.tif 000011
【図１０】
0005486487.tif 000012
【図１１】
0005486487.tif 000013
【図１２】
0005486487.tif 000014
【図１３】
0005486487.tif 000015
【図１４Ａ】
0005486487.tif 000016
【図１４Ｂ】
0005486487.tif 000017
【図１４Ｃ】
0005486487.tif 000018
【図１４Ｄ】
0005486487.tif 000019
【図１５】
0005486487.tif 000020
【図１６】
0005486487.tif 000021